(57)【要約】      （修正有）【課題】故人等を身近に感じることができる棺の雰囲気・外観を低コストでつくり出す金具および棺を提供する。【解決手段】棺は、棺本体、第１蓋２ａ、第２蓋２ｂ、および金具３を備えている。また、棺は、合計４個の金具３を備えており、そのうち２個が第１蓋２ａの保持に、他の２個が第２蓋２ｂの保持に、それぞれ用いられる。金具３は、棺本体の側壁１ｃの上端部に嵌合する第１凹部３ａと、蓋２ａ、２ｂの側面を下側にした状態の当該蓋２ａ、２ｂの側端部が収納される第２凹部３ｂと、を備え、第１凹部３ａと第２凹部３ｂとが連接している。【選択図】図４
0003211910.tif 000002
【実用新案登録請求の範囲】
【請求項１】
生物の遺体を収容する棺の棺本体に対して、前記棺本体の上面に形成された開口部を閉じるための蓋を保持するための金具であって、
前記棺本体の側壁の上端部に嵌合する第１凹部と、
前記蓋の側面を下側にした状態の当該蓋の側端部が収納される第２凹部と、を備え、
前記第１凹部と前記第２凹部とが連接していることを特徴とする金具。
【請求項２】
前記蓋は、前記開口部における前記遺体の上部側の領域を閉じるための第１蓋と、前記開口部における前記遺体の下部側の領域を閉じるための第２蓋と、を含み、
前記第２凹部には、前記第１蓋の側端部および前記第２蓋の側端部が収納されることを特徴とする請求項１に記載の金具。
【請求項３】
生物の遺体を収容する棺であって、
棺本体と、前記棺本体の上面に形成された開口部を閉じるための蓋と、請求項１または２に記載の金具と、を備えていることを特徴とする棺。
【請求項４】
前記棺本体の壁の上面、または前記蓋の下面における前記壁の上面と接触する領域のいずれか一方に突起部が設けられ、他方に前記突起部を挿入可能な穴部が形成されていることを特徴とする請求項３に記載の棺。
【請求項５】
前記棺本体の壁の内面には、微粒子を吸着する多孔質性材料が貼り付けられていることを特徴とする請求項３または４に記載の棺。
【請求項６】
前記蓋には、複数の静止画をスライドショーとして連続再生するフォトフレームが貼り付けられていることを特徴とする請求項３から５のいずれか１項に記載の棺。
【考案の詳細な説明】
【技術分野】
【０００１】
本考案は、棺の蓋の一部が収納される金具、および当該金具を備えた棺に関する。
【背景技術】
【０００２】
近年、故人等を身近に感じることができる工夫がなされた棺が多く提案されている。例えば、特許文献１には、２つの上蓋と棺とが蝶番によって連結されているとともに各上蓋が支柱ヒンジによって支えられており、２つの上蓋のそれぞれが開閉可能となっている紙製棺構造が開示されている。葬儀の際には、例えば葬儀参列者が２つの上蓋のそれぞれを開けるだけで、遺体の全体を仰ぎ見ることができる。
【先行技術文献】
【特許文献】
【０００３】
【特許文献１】実用新案登録第３０６９６０７号公報（２０００年６月２３日発行）
【考案の概要】
【考案が解決しようとする課題】
【０００４】
しかしながら、特許文献１に開示された紙製棺構造は、２つの上蓋を棺から取り外すことができない構造になっている。したがって、２つの上蓋を全開にしても、当該２つの上蓋が棺に取付けられている側に集まった葬儀参列者は、２つの上蓋によって視界が遮られることから遺体を仰ぎ見ることができない。
【０００５】
また、上記紙製棺構造は、遺体を仰ぎ見る際には、棺における側壁の一方の上面に２つの上蓋が略垂直な状態で配置された外観となる。したがって、葬儀参列者によっては、２つの上蓋が棺における上面の開口部付近の開放感を阻害しているように感じてしまう。そのため、葬儀参列者によっては、故人等を身近に感じ難くなり、故人等を偲ぶ感情が萎えてしまうという問題点がある。
【０００６】
さらに、上記紙製棺構造は、蝶番および支柱ヒンジが取付けられたまま火葬炉に入れられることから、火葬終了後は蝶番および支柱ヒンジが変形等した状態で残存する。したがて、一旦特定の紙製棺構造に取付けられた蝶番および支柱ヒンジは、火葬終了後、他の紙製棺構造に再利用することができない。そのため、紙製棺構造毎に蝶番および支柱ヒンジを取付けなければならず、紙製棺構造が高コスト化してしまうという問題点もある。
【０００７】
本考案の一態様は、上記の問題点に鑑みてなされたものであり、その目的は、葬儀の際に故人等を身近に感じることができ、故人等を偲び易い棺の雰囲気・外観を低コストでつくり出すことにある。
【課題を解決するための手段】
【０００８】
上記の課題を解決するために、本考案の一態様に係る金具は、生物の遺体を収容する棺の棺本体に対して、前記棺本体の上面に形成された開口部を閉じるための蓋を保持するための金具であって、前記棺本体の側壁の上端部に嵌合する第１凹部と、前記蓋の側面を下側にした状態の当該蓋の側端部が収納される第２凹部と、を備え、前記第１凹部と前記第２凹部とが連接している。
【０００９】
上記構成によれば、棺本体の側壁の上端部に金具の第１凹部を嵌合し、金具の第２凹部に側面を下側にした状態の蓋の側端部を収納することで、葬儀の際に遺体の全体を仰ぎ見ることができる。また、金具を用いることなく、棺の蓋を棺本体から取り外したままの状態で遺体の全体を仰ぎ見ることもできる。それゆえ、金具の使用・不使用を柔軟に決定することで葬儀参列者の要望に応じた棺の雰囲気・外観をつくり出すことができ、結果、葬儀参列者が故人等を身近に感じることができ、故人等を十分に偲ぶことができる。
【００１０】
また、火葬の際には棺から金具を取り外して当該棺を火葬炉に入れることができることから、一旦金具を製造すれば当該金具を複数の棺に使い回すことができる。そのため、棺の製造コストを抑制することができる。
【００１１】
上記の課題を解決するために、本考案の一態様に係る金具は、前記蓋は、前記開口部における前記遺体の上部側の領域を閉じるための第１蓋と、前記開口部における前記遺体の下部側の領域を閉じるための第２蓋と、を含み、前記第２凹部には、前記第１蓋の側端部および前記第２蓋の側端部が収納されることが好ましい。
【００１２】
上記構成によれば、葬儀参列者の要望に応じて、例えば第１蓋のみを金具によって棺本体に対して保持させ、あるいは第１蓋のみを棺本体から取り外して、遺体の上部のみを仰ぎ見るようにすることができる。それゆえ、棺の製造コストを抑制しつつ、葬儀参列者の要望により合致した棺の雰囲気・外観をつくり出すことができる。
【００１３】
上記の課題を解決するために、本考案の一態様に係る棺は、生物の遺体を収容する棺であって、棺本体と、前記棺本体の上面に形成された開口部を閉じるための蓋と、本考案のいずれかの態様に係る金具と、を備えている。上記構成によれば、葬儀参列者が故人等を身近に感じることができ、故人等を十分に偲ぶことができる棺を実現することができる。
【００１４】
上記の課題を解決するために、本考案の一態様に係る棺は、前記棺本体の壁の上面、または前記蓋の下面における前記壁の上面と接触する領域のいずれか一方に突起部が設けられ、他方に前記突起部を挿入可能な穴部が形成されていることが好ましい。
【００１５】
上記構成によれば、棺本体に蓋をする際、突起部を穴部に挿入することで棺本体に対する蓋の位置決めを容易かつ正確に行うことができる。そのため、葬儀参列者が故人等を身近に感じることができ、故人等を十分に偲ぶことができるとともに、火葬等の際にも見栄えの良い棺を実現することができる。
【００１６】
上記の課題を解決するために、本考案の一態様に係る棺は、前記棺本体の壁の内面には、微粒子を吸着する多孔質性材料が貼り付けられていることが好ましい。上記構成によれば、棺本体の壁の内面に微粒子を吸着する多孔質性材料が貼り付けられている。そのため、遺体から放出される異臭の微粒子が多孔質性材料に吸着されるので、遺体から発生する異臭を軽減することができる。その結果、遺体とともに棺に収容されるドライアイスの量を減らすことができるので、葬儀参列者が故人等を身近に感じることができ、故人等を十分に偲ぶことができるとともに、ＣＯ２排出量の削減をも図ることができる。
【００１７】
上記の課題を解決するために、本考案の一様態に係る棺は、前記蓋には、複数の静止画をスライドショーとして連続再生するフォトフレームが貼り付けられていることが好ましい。
【００１８】
上記構成によれば、例えば下面にフォトフレームが貼り付けられた蓋を、当該フォトフレームが棺本体の開口部側を向くように上記金具で保持することにより、葬儀参列者はフォトフレームに映し出された故人に関わる静止画を観つつ、故人を偲ぶことができる。そのため、葬儀参列者が故人等を十分に偲ぶことができ、故人等をより身近に感じることができる棺の雰囲気・外観がつくり出される。
【考案の効果】
【００１９】
本考案の一態様によれば、葬儀の際に故人等を身近に感じることができ、故人等を偲び易い棺の雰囲気・外観を低コストでつくり出すことができる。
【図面の簡単な説明】
【００２０】
【図１】（ａ）〜（ｃ）は、本考案の一実施形態に係る棺の概略構成を示す平面図である。
【図２】（ａ）は、第１蓋の概略構成を示す下面図である。（ｂ）は、第１蓋の概略構成を示す側面図である。
【図３】（ａ）は、第２蓋の概略構成を示す下面図である。（ｂ）は、第２蓋の概略構成を示す側面図である。
【図４】（ａ）は、本考案の一実施形態に係る金具の外観図である。（ｂ）は、金具の概略構成を示す側面図である。
【図５】（ａ）は、第１蓋のみ金具で保持した状態の棺の概略構成を示す平面図である。（ｂ）は、第１蓋および第２蓋のそれぞれを金具で保持した状態の棺の概略構成を示す平面図である。
【図６】本考案の一実施形態に係る棺の変形例の概略構成を示す斜視図である。
【考案を実施するための最良の形態】
【００２１】
〔棺の概略構成〕
まず、図１〜図４を参照して、本考案の一実施形態に係る棺の概略構成について説明する。図１の（ａ）〜（ｃ）は、棺１０の概略構成を示す平面図である。図２の（ａ）は、第１蓋２ａの概略構成を示す下面図である。図２の（ｂ）は、第１蓋２ａの概略構成を示す側面図である。図３の（ａ）は、第２蓋２ｂの概略構成を示す下面図である。図３の（ｂ）は、第２蓋２ｂの概略構成を示す側面図である。図４の（ａ）は、金具３の外観図である。図４の（ｂ）は、金具３の概略構成を示す側面図である。
【００２２】
棺１０は、人間（生物）の遺体（不図示：以下、「遺体」と略記）を収容するための棺であり、当該遺体を納め、安置できるサイズとなっている。棺１０は、棺本体１、第１蓋２ａ（蓋）、第２蓋２ｂ（蓋）および金具３を備えている（図１の（ｃ）および図４参照）。棺１０（金具３を除く）の材料は特に限定されないが、例えば、天然木材、化粧合板、あるいは段ボールを用いることができる。なお、棺１０の収容対象は人間の遺体に限定されず、例えばペットをはじめとする動物の遺体であってもよい。
【００２３】
（棺本体）
棺本体１は、その内部の空間に遺体が収容される。図１の（ａ）に示すように、棺本体１は、前側板１ａ（壁）、後側板１ｂ（壁）、左側板１ｃ（側壁、壁）、右側板１ｄ（側壁、壁）および底板１ｅで構成されている。具体的には、棺本体１は、前側板１ａ、後側板１ｂ、左側板１ｃ、右側板１ｄおよび底板１ｅによって縦長の箱状に組み立てられ、その上面には開口部１ｆが形成されて当該上面が開放されている。
【００２４】
前側板１ａ、後側板１ｂ、左側板１ｃ、右側板１ｄおよび底板１ｅの各内面には、ビニルシート６が貼り付けられている。ビニルシート６は、ドライアイス（不図示）による結露、および遺体からでる水分から棺１０を保護する。
【００２５】
前側板１ａの上面における長手方向の中央付近には、平面視で円形状の穴部５ｂが１箇所形成されている。また、左側板１ｃの上面における遺体の上部側の領域に１箇所、右側板１ｄの上面における遺体の上部側の領域にも１箇所、それぞれ穴部５ｂが形成されている。これら３つの穴部５ｂは、棺本体１に対して第１蓋２ａを容易に位置決めするために形成されたものであり、後述の突起部５ａを挿入可能な大きさとなっている。
【００２６】
また、後側板１ｂの上面における長手方向の両端付近には、それぞれ上述の穴部５ｂが１箇所形成されている。また、左側板１ｃの上面における遺体の下部側の領域に１箇所、右側板１ｄの上面における遺体の下部側の領域にも１箇所、それぞれ穴部５ｂが形成されている。これら４つの穴部５ｂは、棺本体１に対して第２蓋２ｂを容易に位置決めするために形成されたものである。
【００２７】
また、図１の（ｂ）に示すように、棺本体１の開口部１ｆにおける遺体の上部側の領域には、仕切板４が設置される。仕切板４の中央には、遺体の上部（特に頭部）を仰ぎ見るための開口部が平面視で八角形状に形成されている。この仕切板４を棺本体１に設置することにより、故人の顔を際立たせることができ、故人を身近に感じさせることができる。また、遺体の上部の周囲に予期せぬ不要物や虫類が入り込まないようにすることができる。なお、棺本体１に仕切板４を設置しなくてもよい。
【００２８】
火葬等をする際には、図１の（ｃ）に示すように、棺本体１の開口部１ｆを第１蓋２ａおよび第２蓋２ｂで閉じて、言い換えると、第１蓋２ａおよび第２蓋２ｂで棺本体１に蓋をする。この蓋をした状態において、金具３（図４参照）は棺１０に取付けられない。
【００２９】
（第１蓋および第２蓋）
図２の（ａ）および（ｂ）に示すように、第１蓋２ａは平面視で長方形状の板であり、棺本体１の開口部１ｆにおける遺体の上部側の領域を閉じるための蓋である。また、図２の（ａ）に示すように、第１蓋２ａの側面は枠体となっており、当該枠体の下面（蓋の下面）には、棺本体１に形成された上記３つの穴部５ｂのそれぞれに対応する位置に略円柱形状の突起部５ａが設けられている。この３つの突起部５ａを上記３つの穴部５ｂに挿入することで、第１蓋２ａが棺本体１に対して位置決めされる。さらに、図２の（ｂ）に示すように、第１蓋２ａの上面は、側面視で前側板１ａから後側板１ｂにかけてせり上がるように直線的な傾斜がつけられている。
【００３０】
図３の（ａ）および（ｂ）に示すように、第２蓋２ｂは平面視で第１蓋２ａよりも長い長方形状の板であり、棺本体１の開口部１ｆにおける遺体の下部側の領域を閉じるための蓋である。また、図３の（ａ）に示すように、第２蓋２ｂの側面は枠体となっており、当該枠体の下面（蓋の下面）における、棺本体１の各壁の上面と接触する領域には、棺本体１に形成された上記４つの穴部５ｂのそれぞれに対応する位置に突起部５ａが設けられている。この４つの突起部５ａを上記４つの穴部５ｂに挿入することで、第２蓋２ｂが棺本体１に対して位置決めされる。さらに、図３の（ｂ）に示すように、第２蓋２ｂの上面は、側面視で後側板１ｂから前側板１ａにかけてせり上がるように直線的な傾斜がつけられている。
【００３１】
なお、第１蓋２ａおよび第２蓋２ｂの２つの蓋で棺本体１の開口部１ｆを閉じる必要はなく、開口部１ｆ全体を１つの蓋で閉じてもよい。また、突起部５ａおよび穴部５ｂの形状・個数・配置は上述の場合に限定されず、それぞれ任意に変更することができる。例えば、棺本体１に突起部５ａを設け、第１蓋２ａおよび第２蓋２ｂに穴部５ｂを形成してもよい。
【００３２】
（金具）
金具３は、棺本体１に対して第１蓋２ａおよび第２蓋２ｂを保持するための金属製の器具であり、棺本体１の左側板１ｃの上端部に取付けられる。なお、金具３は、棺本体１の右側板１ｄに取付けてもよい。図４（ａ）および（ｂ）に示すように、金具３は、第１凹部３ａおよび第２凹部３ｂを備えている。金具３の成形に用いられる金属材料は特に限定されないが、第１蓋２ａおよび第２蓋２ｂを一定時間保持しても変形しない程度の剛性がある金属材料が好ましい。
【００３３】
本実施形態では、棺１０は合計４個の金具３を備えており、そのうちの２個が第１蓋２ａの保持に、他の２個が第２蓋２ｂの保持に、それぞれ用いられる（図５の（ｂ）参照）。なお、上述の個数はあくまで一例であり、第１蓋２ａおよび第２蓋２ｂの大きさ・形状・重さや金具３の大きさ・形状・材質等に応じて、任意に変更してもよい。
【００３４】
第１凹部３ａは、側面視で凹形状、かつ板状の部位であり、棺本体１の左側板１ｃ（右側板１ｄでもよい）の上端部に嵌合できる程度に凹んでいる。具体的には、図４の（ａ）に示すように、第１凹部３ａにおける、左側板１ｃの内面に係止される壁の高さが１８ｍｍ、左側板１ｃの上面と当接する壁の短手方向の長さが３２ｍｍ、左側板１ｃの外面と当接する壁の高さが５３ｍｍとなっている。
【００３５】
第２凹部３ｂは、第１凹部３ａと同様に側面視で凹形状、かつ板状の部位である。第２凹部３ｂは、第１凹部３ａと反対方向に凹んでおり、かつ第１・第２蓋２ａ・２ｂの側面を下側にした状態の当該第１・第２蓋２ａ・２ｂの側端部を収納できる程度に凹んでいる。具体的には、図４の（ａ）に示すように、第２凹部３ｂにおける、左側板１ｃの外面と当接する壁（第１凹部３ａと共通）の高さが５３ｍｍ、第１・第２蓋２ａ・２ｂの側端面と当接する壁の短手方向の長さが３８ｍｍ、当接壁３ｂ−１の高さが１００ｍｍとなっている。
【００３６】
ここで、当接壁３ｂ−１は、第２凹部３ｂにおける、第１・第２蓋２ａ・２ｂの側端部が当該第２凹部３ｂに収納された状態において、第１・第２蓋２ａ・２ｂの上面と当接する部位を指す。当接壁３ｂ−１は、第２凹部３ｂに収納された第１・第２蓋２ａ・２ｂを支持する機能を果たすことから、第２凹部３ｂの他の壁、および第１凹部３ａの各壁のいずれよりも高さが高くなっている。
【００３７】
また、金具３を左側板１ｃの上端部に取付ける際には、第２凹部３ｂが棺本体１の外部側に配置されるようにする。さらに、図４の（ｂ）に示すように、第２凹部３ｂは、第１凹部３ａが左側板１ｃの上端部に嵌合した状態において、当該第２凹部３ｂの当接壁３ｂ−１と略平行な中心面と水平面とのなす角度が１１０度になっている。
【００３８】
このように、中心面と水平面とのなす角度が１１０度となるように金具３を成形することで、第１・第２蓋２ａ・２ｂが棺本体１に対して保持された状態において、葬儀参列者が第１・第２蓋２ａ・２ｂの裏面を視認し易くなる。また、開放感溢れる棺１０の外観を形成することができる。そのため、裏面に故人の写真を貼り付ける等の配慮をすることにより（詳細は後述）、故人をより身近に感じることができるようになる。なお、中心面と水平面とのなす角度は１１０度に限定されず、上述のような効果が得られる角度であれば、どのような角度であってもよい。
【００３９】
なお、上述の第１・第２凹部３ａ・３ｂの形状・大きさはあくまで一例であり、棺本体１の左側板１ｃ（または右側板１ｄ）の厚さ、第１・第２蓋２ａ・２ｂの厚さ・大きさ・重さ等に応じて、任意に変更してもよい。
【００４０】
本実施形態では、金具３は、一枚物の金属板を折り曲げる等して単一の金属材料で形成されているが、例えば第１凹部３ａの成形材料と第２凹部３ｂの成形材料とが異なっていてもよい。言い換えれば、金具３は、第１凹部３ａと第２凹部３ｂとが連接するように成形されていればよい。
【００４１】
なお、金具３は、上述のように第・第２凹部３ａ・３ｂの形状が側面視で凹形状、言い換えれば略卍型となっていることから、「卍型蓋受け」と称されることもある。
【００４２】
〔第１蓋および第２蓋の保持の態様〕
次に、図５を参照して、棺本体１に対する第１蓋２ａおよび第２蓋２ｂの保持の態様について説明する。図５の（ａ）は、第１蓋２ａのみ金具３で保持した状態の棺１０の概略構成を示す平面図である。図５の（ｂ）は、第１蓋２ａおよび第２蓋２ｂのそれぞれを金具３で保持した状態の棺１０の概略構成を示す平面図である。
【００４３】
葬儀参列者の要望に応じて、例えば図５の（ａ）に示すように、第１蓋２ａのみ側面を下にして、金具３を用いて棺本体１に対して保持させてもよい。この例では、２つの金具３を、棺本体１の左側板１ｃの上端部における遺体の上部側の部位に嵌合させ、第１蓋２ａの側端部を２つの金具の第２凹部３ｂに収納することにより、第１蓋２ａのみが開いたような状態にしている。
【００４４】
また例えば、図５の（ｂ）に示すように、第１蓋２ａおよび第２蓋２ｂのそれぞれの側面を下にして、金具３を用いて棺本体１に対して保持させてもよい。この例では、２つの金具３を、棺本体１の左側板１ｃの上端部における遺体の上部側の部位に嵌合させ、第１蓋２ａの側端部を２つの金具の第２凹部３ｂに収納している。また、他の２つの金具３を、棺本体１の左側板１ｃの上端部における遺体の下部側の部位に嵌合させ、第２蓋２ｂの側端部を２つの金具の第２凹部３ｂに収納している。このようにして、第１蓋２ａおよび第２蓋２ｂの両方が開いたような状態にしている。
【００４５】
なお、図示しないものの、図５の（ａ）または（ｂ）に示す例において、第１蓋２ａの裏面および第１蓋２ｂの裏面の少なくとも一方には、故人の写真や遺族の手紙、または複数の静止画をスライドショーとして連続再生するフォトフレームを貼り付けることができる。
【００４６】
例えば、図５の（ｂ）に示す例において、遺体の頭部により近い第１蓋２ａの裏面に故人の写真またはフォトフレームを貼り付け、第２蓋２ｂの裏面に遺族の手紙を貼り付けてもよい。このような配慮を為すことで、故人をより身近に感じることができる棺の雰囲気・外観がつくり出される。ここで、上述の写真、手紙およびフォトフレームは、第１・第２蓋２ａ・２ｂの表面に貼り付けられてもよい。
【００４７】
〔変形例〕
次に、図６を参照して、本考案の一実施形態に係る棺の変形例について説明する。図６は、棺１０の変形例の概略構成を示す斜視図である。棺１０においては、棺本体１に吸着シート１００を貼り付けてもよい。例えば図６に示すように、左側板１ｃの内側面（内面）および右側板１ｄの内側面（内面）のそれぞれに、ビニルシート６を介して２つずつ、吸着シート１００を貼り付けてもよい。
【００４８】
吸着シート１００は、多孔質性材料および不織布（ともに不図示）を備えている。多孔質性材料は、微粒子を吸着させる特質性がある。具体的には、多孔質性材料は内部に無数の孔を有しており、遺体から放出される臭いや棺１０に使用される塗料、接着剤、合板等の臭いの原因となる微粒子を吸着することができる。そのため、ＣＯ２発生源の原因とされる遺体の腐敗防止として使用されるドライアイスを削減することができるので、ＣＯ２排出量を削減できる。多孔質性材料としては、活性炭、炭素セラミックス、ゼオライト、シリカゲルを例示することができる。
【００４９】
吸着シート１００には、多孔質性材料として株式会社ＴＡＭＯＴＳＵ社から販売されている「ＨＢセラミックス」を用いることが好ましい。「ＨＢセラミックス」は、土壌および鉱石のそれぞれに含まれる有効成分を取り出し、１２００℃の真空炭化炉で炭素セラミックスを蜂の巣構造にした天然セラミックスである。この「ＨＢセラミックス」を用いることで、ＣＯ２のみならずダイオキシンの排出量をも削減することができる。
【００５０】
なお、図６に示す棺１０の変形例において、前側板１ａ、後側板１ｂ、左側板１ｃおよび右側板１ｄの外側面には、それらの周囲を囲むように装飾具２０が備えられている。装飾具２０は、布等の柔らかく薄い素材にギャザーもしくはプリーツが施されている。
【符号の説明】
【００５１】
１：棺本体    １ａ：前側板（壁）    １ｂ：後側板（壁）
１ｃ：左側板（側壁、壁）    １ｄ：右側板（側壁、壁）    １ｆ：開口部
２ａ：第１蓋（蓋）    ２ｂ：第２蓋（蓋）    ３：金具    ３ａ：第１凹部
３ｂ：第２凹部    ５ａ：突起部    ５ｂ：穴部    １０：棺
【図１】
0003211910.tif 000003
【図２】
0003211910.tif 000004
【図３】
0003211910.tif 000005
【図４】
0003211910.tif 000006
【図５】
0003211910.tif 000007
【図６】
0003211910.tif 000008